(57)【要約】  操作者が手袋をした指で操作するときにタッチパネルの操作がしやすく、かつ、一度に表示できるアイコン数を確保する表示装置。この表示装置は、画像を表示する画像表示部（１７）と、画像表示部（１７）の表面に設けられたタッチパネル（１８）と、素手や手袋装着等の操作者の操作状況を示す選択アイコンと、操作の選択肢を示す操作アイコンの大きさと、を対応付けて記憶する記憶部（１１）と、複数の選択アイコンを画像表示部（１７）に表示させ、操作者によって選択された選択アイコンに対応付けられた大きさの操作アイコンを画像表示部（１７）に表示させる制御部（２０）と、を備える。また、操作アイコンの縦横比は、選択アイコン毎に異なる。
2011129109.tif 000002
【特許請求の範囲】
【請求項１】
データを表示する画像表示部と、
前記画像表示部の表面に設けられるタッチパネルと、
前記画像表示部に表示させる画像を記憶する記憶部と、
前記タッチパネルの操作者に触られた領域を検出し、検出結果に基づいて前記記憶部から画像を読み出して前記画像表示部に表示させる制御部と、を備え、
前記記憶部は、
前記操作者の操作状況を示す選択アイコンと、操作の選択肢を示す操作アイコンと、を対応付けて記憶し、
前記操作アイコンの大きさは、選択アイコン毎に異なり、
前記制御部は、
複数の前記選択アイコンを前記画像表示部に表示させ、
前記操作者によって選択された選択アイコンに対応付けられた大きさの操作アイコンを前記画像表示部に表示させる、
表示装置。
【請求項２】
前記記憶部は、直近に選択された前記選択アイコンを記憶し、
前記制御部は、前記操作者から前記選択アイコンを前記画像表示部に表示させる指示を受けるまでは、前記記憶部に記憶された選択アイコンに対応付けられた大きさの操作アイコンを前記画像表示部に表示させる、請求項１記載の表示装置。
【請求項３】
前記制御部は、前記各選択アイコンの大きさを互いに異ならせて前記画像表示部に表示させ、大きい選択アイコンほど前記タッチパネルの検出感度を高く設定する、請求項１記載の表示装置。
【請求項４】
前記記憶部は、前記各選択アイコンに対応付けられ前記操作アイコンが含まれる複数の表示画面を記憶し、
前記各表示画面における前記操作アイコンの表示領域は互いに異なるように設定され、
前記制御部は、選択された選択アイコンに対応付けられた表示画面を前記画像表示部に表示する、請求項１記載の表示装置。
【請求項５】
前記制御部は、所定の操作を検出した場合に前記選択アイコンを前記画像表示部に表示する、請求項２記載の表示装置。
【請求項６】
前記画像表示部に前記選択アイコンを表示するためのボタンを備える、請求項２記載の表示装置。
【請求項７】
前記操作アイコンの表示領域は長方形であり、
前記制御部は、
前記各選択アイコンの大きさを互いに異ならせて前記画像表示部に表示させ、
大きい選択アイコンに対応付けられた前記操作アイコンの長辺と短辺との比は、小さい選択アイコンに対応付けられた前記操作アイコンの長辺と短辺との比よりも１に近い、請求項１記載の表示装置。
【請求項８】
前記操作アイコンが含まれる各表示画面には複数かつ互いに同数の操作アイコンが含まれ、前記各表示画面において操作アイコンはｍ行ｎ列に配置され（ｍ、ｎは自然数）、前記ｍと前記ｎとの積が前記全ての表示画面において等しい、請求項１記載の表示装置。
【発明の詳細な説明】
【技術分野】
【０００１】
本発明は、所定の内容を表示する画像表示部の前面に、操作者の接触操作により、所定の入力を行うタッチパネルを配した表示装置に関するものであり、特にカーナビゲーション装置などの車載装置や、持ち歩きながら操作されることの多いモバイル機器に適用するタッチパネルを備えた表示装置に関する。
【背景技術】
【０００２】
タッチパネルを備えた表示装置は、車載ディスプレイ装置や、ＰＮＤやポータブルマルチメディアプレイヤーなどのモバイル機器等に広く用いられ、液晶ディスプレイや有機ＥＬディスプレイの表示部の前面にタッチパネルを配置し、その表面を触れることによって、この触れた部分が対応する情報を信号にして入力することができる。【０００３】
タッチパネルとしては、操作者の指の接触による静電容量の変化を検出する静電容量式タッチパネルが広く用いられている。【０００４】
従来のタッチパネルを備えたディスプレイ装置として、相異なる複数のアイコンサイズを記憶する記憶部と、操作者の指がタッチパネルに近付くことによる静電容量の変化により操作者に触れられたタッチパネルの領域を検出する静電容量分布検出部と、静電容量分布検出部によって検出された領域に基づいて記憶部に記憶された複数のアイコンサイズの中からタッチパネルに表示されるものを選択する制御部と、を有するものがある（例えば特許文献１参照）。また、従来技術として、操作者が手袋をして操作するために、素手で操作するときよりも大きなアイコンを表示させる技術が知られている。
【先行技術文献】
【特許文献】
【０００５】
【特許文献１】特開２００８−２１７７０４号公報
【発明の概要】
【発明が解決しようとする課題】
【０００６】
しかしながら、従来のタッチパネルを備えた表示装置においては、アイコンの大きさ、形状により、アイコンの表示数が少なくなり、一度に全てのアイコンを表示できないという問題がある。【０００７】
本発明の目的は、操作者が手袋をして操作するときにタッチパネルの操作がしやすく、かつ、一度に表示できるアイコン数を確保することができる表示装置を提供することである。
【課題を解決するための手段】
【０００８】
本発明は、データを表示する画像表示部と、前記画像表示部の表面に設けられるタッチパネルと、前記画像表示部に表示させる画像を記憶する記憶部と、前記タッチパネルの操作者に触られた領域を検出し、検出結果に基づいて前記記憶部から画像を読み出して前記画像表示部に表示させる制御部と、を備え、前記記憶部は、前記操作者の操作状況を示す選択アイコンと、操作の選択肢を示す操作アイコンと、を対応付けて記憶し、前記操作アイコンの大きさは、選択アイコン毎に異なり、前記制御部は、複数の前記選択アイコンを前記画像表示部に表示させ、前記操作者によって選択された選択アイコンに対応付けられた大きさの操作アイコンを前記画像表示部に表示させる、構成を有している。
【発明の効果】
【０００９】
本発明によれば、各選択アイコンに対応する操作アイコンを記憶した記憶部から、操作者が選択した選択アイコンに応じた大きさの操作アイコンを読み出し、画像表示部に表示させることができる。これにより、操作者は、素手あるいは手袋装着のいずれの場合であっても、タッチパネルの操作を確実に行うことができる。【００１０】
また、一度に画像表示部に表示できるアイコン数を確保することにより、画像表示の意匠性を大きく損なうことなく、画像表示部に表示するアイコンによる情報量を確保しつつ、操作者の操作性を確保することができる。
【図面の簡単な説明】
【００１１】
【図１】本発明の実施の形態１における表示装置を含む車載装置のブロック図
【図２】本発明の実施の形態１における画像表示部に表示される表示画面の例を示す図
【図３】本発明の実施の形態１における表示装置を含む車載装置の動作説明のためのフロー図
【図４】本発明の実施の形態１における表示装置に表示するアイコンの例を示す図
【図５】本発明の実施の形態３における画像表示部に表示される表示画面の例を示す図
【発明を実施するための形態】
【００１２】
（実施の形態１）
以下、本発明の実施の形態１におけるタッチパネルを備えた表示装置について、図面を用いて説明する。
【００１３】
ただし、以下の説明ではタッチパネルを備えた表示装置の例として車載用のナビゲーション装置を用いるため、このタッチパネルを用いた表示装置を含む車載用のナビゲーション装置を単に「車載装置」として説明する。
【００１４】
図１は本発明の実施の形態１におけるタッチパネルを用いた表示装置を含む車載装置のブロック図である。
【００１５】
本実施の形態１における車載装置は、経路案内などを行うナビゲーション機能や、例えばＤＶＤ（Digital Versatile Disc）などの記録媒体に記録された音響映像の再生を行うオーディオビジュアル再生機能などを備えた、所謂カーナビゲーション装置である。
【００１６】
図１において、車載装置１０は、記憶部１１、外部入力部１２、スピーカ１３、画像表示部１７、タッチパネル１８、制御部２０、ＤＶＤ／ＣＤドライブ２２、ＧＰＳ受信機２３、車速センサ２４、ジャイロ２５を備えている。また、記憶部１１、画像表示部１７、タッチパネル１８及び制御部２０により、表示装置が構成される。
【００１７】
ただし、ＤＶＤ／ＣＤドライブ２２、ＧＰＳ受信機２３、車速センサ２４、ジャイロ２５、スピーカ１３は、それぞれ車載装置１０の内部に一体に設けられている必要はなく、車載装置１０と別体に設けられ、車載装置１０に装着時に電気的に接続するように、車載装置１０と着脱可能な構成としても良い。
【００１８】
記憶部１１は、ＨＤＤやＳＤカード、車載機内部のプリント基板上に実装されたフラッシュメモリーなどのデータ記憶装置であり、単一種類のものを用いても良く、複数種類の併用でも良い。
【００１９】
記憶部１１には、画像表示部１７に表示するアイコンサイズ（アイコンの大きさ、あるいはアイコンの表示領域）やアイコンレイアウト、車載装置の動作を制御するために必要な基本プログラムが記憶されている。さらに、記憶部１１には、画像表示の制御のためのプログラムや、ナビゲーション機能の実行、あるいはオーディオビジュアル再生機能の実行に用いられるアプリケーションソフトや、ナビゲーションのための地図に関するデータベースや電話番号などのデータベースなど、各種プログラムおよび各種データベースが格納される。また、記憶部１１には、一般的な記憶部と同様に、各種プログラムや各種データ等を展開する領域、画像が展開される領域などが設けられている。
【００２０】
外部入力部１２は、車載装置１０に接続可能な外部機器から出力された信号、例えばＤＶＤやＣＤなどのメディアを再生して得られる映像信号や音声信号、あるいは、デジタルテレビなどからの映像信号や音声信号を入力する。
【００２１】
スピーカ１３は、車載装置１０への操作を車載装置１０が受け付けたことを操作者へ伝えるための効果音や、外部機器から外部入力部１２に入力された音声や、車載装置１０に内蔵されている例えばＤＶＤ／ＣＤドライブ２２で再生された音声や音楽などを出力する。
【００２２】
画像表示部１７は、記憶部１１に記憶された、オープニング画面やメニュー画面、外部機器から外部入力部１２に入力された映像や静止画などの各データを表示する。本実施の形態では、画像表示部１７の例として一般的な液晶ディスプレイを用いる場合について説明する。
【００２３】
この場合、画像表示部１７には、偏光フィルタや液晶やガラス基板などを含む液晶パネルと、冷陰極管あるいはＬＥＤおよび導光板など液晶パネルの光源に用いられる部品と、画像表示のための各種信号を制御するＩＣなどの電子部品と、液晶や光源や電子部品を駆動するための電源ユニットと、が含まれる。ただしこの場合、電源ユニットは、画像表示部１７と別体に設けられても良い。
【００２４】
タッチパネル１８は、画像表示部１７の表面に設けられた透過性のパネルである。車載装置１０への入力操作は、操作者がタッチパネル１８の該当箇所（アイコン表示の場合は画像表示部１７に表示されているアイコンの位置、地図表示の場合は、任意の場所など）に触れることによって行われる。
【００２５】
制御部２０は、マイクロプロセッサおよびマイクロプロセッサを動作させるための電気回路を含み、記憶部１１に記憶された制御プログラムを実行して、各種の制御処理を行う。また、制御部２０は、制御処理して得られた画像データを画像表示部１７に表示させる。
【００２６】
また、制御部２０は、タッチパネル１８から信号を取得し、この信号に基づいて操作者の指がタッチパネルに接触した位置を算出し、算出した位置の情報を記憶部１１に記憶されているタッチパネル１８の接触された位置に割当られた情報と照合する。そして操作者の指が接触した位置に該当するタッチエリアにあらかじめ関連付けられたアイコンやメニューやスイッチなどに定義されている機能を実行する。
【００２７】
また、制御部２０は、操作者がアイコン形状設定にかかわる設定画面にて選択したアイコンに定義づけられたアイコン形状を用いた画像を、記憶部１１から読み出し、画像表示部１７に表示させる。
【００２８】
なお、制御部２０に用いるマイクロプロセッサは一つでも良いし、ＤＶＤ再生や、オーディオ再生など機能ごとに複数のマイクロプロセッサを用いても良い。
【００２９】
ＤＶＤ／ＣＤドライブ２２は、音声ソース（または音声データ）や映像ソース（または映像データ）が保存されたディスクを再生する。ＧＰＳ受信機２３は、ＧＰＳ衛星からの信号を受信する。車速センサ２４は、車輌からの車速信号を受信し、車輌の移動速度を判別する。ジャイロ２５は、車輌の回転量や上下方向の変化量や加速度を検出する。
【００３０】
以上のように構成された車載装置１０について、図２乃至図４を用いて、その動作およびアイコン表示例の詳細を説明する。
【００３１】
本実施の形態では、タッチパネル１８が静電容量式タッチパネルである場合について説明する。一般的に、静電容量式タッチパネルは、操作者の指がタッチパネル１８に近付くことによる静電容量の変化が検出される。操作者が手袋をして操作をする場合、素手で操作する場合よりも静電容量の変化量が小さいので、タッチパネル１８の検出感度を高くし、アイコンサイズを大きくする必要がある。
【００３２】
ここで、検出感度を高くするとは、タッチパネル１８の静電容量の変化がより小さくても、操作者の指がタッチパネル１８に触れたこと、あるいは、接近したことによる静電容量の変化を検出できるように検出パラメータを設定することである。
【００３３】
本実施の形態においては、タッチパネル１８の検出感度が「検出感度が低い」「検出感度が高い」の２段階に切り換えられる構成を有している。ただし、この場合の検出感度が「低い」、「高い」は、相対的な高低である。素手による操作に対しては相対的に検出感度を低く設定し、手袋をしての操作に対しては相対的に検出感度を高く設定する。なお、感度を切り換えるための構成そのものは、静電容量の変化に対する閾値の設定を切り換えるなど、一般的な技術を適用することで実現可能であるため、その詳細を省略する。
【００３４】
検出感度を高く設定する（検出感度が高い）と、制御部２０が、手袋をした指でタッチパネル１８を操作したことによる小さな静電容量の変化を検出することができるため、操作者の意図した操作が可能となる。
【００３５】
一般的に、操作者の指がタッチパネル１８に触れた、あるいは、接近した場合、指とタッチパネルの接点を中心として、円に近い形状の分布で静電容量が変化する。
【００３６】
また、検出感度が高く設定されている場合に、操作者がタッチパネルを素手で操作すると、制御部２０は、操作者の指がタッチパネル１８に接触する前に静電容量の変化を検出するため、操作者が本来触れようとしたタッチパネルの位置と制御部２０が静電容量の変化を検出した位置との間に差異が発生するおそれがある。このため、誤動作が起こらない程度に、操作者が接触操作するアイコンサイズを大きくする必要がある。
【００３７】
また、手袋をした指で静電容量式タッチパネルを操作する場合、操作者は、意図した操作を確実に実行するためには、指の腹などの面積の大きい部分でタッチパネルに接触する必要があるため、アイコンサイズを大きくすることが望ましい。
【００３８】
そこで、本実施の形態では、車載装置１０の各機能操作が行われる前に素手（アイコン小）と手袋（アイコン大）を選択することにより、アイコンサイズを変更可能にしている。
【００３９】
本実施の形態では、操作者がアイコンサイズ設定を行うための画面をタッチパネル設定画面と称する。操作者は、タッチパネル設定画面に表示される選択アイコンの中から、操作者の操作状況に対応するものを選択する。この選択結果に基づいて、制御部２０は、画像表示部１７に表示させる操作アイコン（アイコンサイズ設定操作以外の車載装置１０の様々な機能操作の選択肢を示すアイコン）のアイコンサイズを制御する。
【００４０】
図２は、本実施の形態における画像表示部１７に表示される表示画面の例を示す図である。
【００４１】
図２（ａ）は画像表示部１７におけるタッチパネル設定画面の表示例である。この画面には、第１の選択アイコンとしての素手（アイコン小）アイコン１０１と第２の選択アイコンとしての手袋（アイコン大）アイコン１０２の２個のアイコンが表示される。
【００４２】
なお、以下の説明において、タッチパネル設定画面にて設定操作を終えた以降に画像表示部１７に表示される、素手アイコン１０１および手袋アイコン１０２以外のアイコンは操作アイコンのことを指す。
【００４３】
素手アイコン１０１は、操作者が素手でタッチパネル１８を操作する場合に選択されるアイコンである。制御部２０は、素手アイコン１０１が選択されたことを検出すると、記憶部１１に「以降の操作は、操作者がタッチパネルを素手で操作する」ことを記憶させる。
【００４４】
タッチパネル設定画面にて素手アイコン１０１が選択された後は、車載装置１０の様々な状態に応じて画像表示部１７に表示されるアイコンが、操作者が素手でタッチパネル１８を操作するのに適したサイズとレイアウトで表示される。
【００４５】
手袋アイコン１０２は、操作者が手袋をしてタッチパネル１８を操作する場合に選択されるアイコンである。制御部２０は、手袋アイコン１０２が選択されたことを検出すると、記憶部１１に「以降の操作は、操作者がタッチパネルを手袋をして操作する」ことを記憶させる。
【００４６】
タッチパネル設定画面にて手袋アイコン１０２が選択された後は、車載装置１０の様々な状態に応じて画像表示部１７に表示されるアイコンサイズは、操作者が手袋をしてタッチパネル１８を操作するのに適したサイズとレイアウトで表示される。この場合には、素手アイコン１０１が選択された場合よりも、大きいアイコンが表示される。ただし、同一種類の画面に含まれるアイコン数は、素手アイコン１０１が選択された時と手袋アイコン１０２が選択された時とで同じとなる。
【００４７】
図２（ｂ）および図２（ｃ）は、車載装置１０の様々な操作（アイコンサイズ変更操作の他の機能操作）のための画面の表示例として、ナビゲーション機能実行時における「行き先設定」画面を示す図である。「行き先設定」画面では、画像表示部１７に９個のアイコンが表示されるように設定されている。
【００４８】
図２（ｂ）は「タッチパネル設定画面」にて素手アイコン１０１が選択された時の「行き先設定」画面である。この画面には、９個のアイコン１１０が表示される。
【００４９】
図２（ｃ）は「タッチパネル設定画面」にて手袋アイコン１０２が選択された時の「行き先設定」画面である。この画面には、９個のアイコン１１１が表示される。
【００５０】
図２（ｂ）および図２（ｃ）に示されるとおり、手袋アイコン１０２が選択された後に表示されるアイコン１１１のサイズの方が、素手アイコン１０１が選択された後に表示されるアイコン１１０のサイズよりも大きく表示される。
【００５１】
これにより、制御部２０は、操作者が触れようとしたアイコンを確実に検出することができる。
【００５２】
次に、図３のフローチャートを用いて、車載装置１０の「タッチパネル設定」の動作を説明する。
【００５３】
まず、制御部２０は、操作者が車載装置１０の電源をＯＮするなど、所定の操作によってタッチパネル設定機能を選択したことを検出すると、記憶部１１に格納されたタッチパネル設定機能（プログラム）を実行する（開始）。
【００５４】
次に、制御部２０は、操作者がアイコンサイズを選択するためのタッチパネル設定画面を画像表示部１７に表示させる（ステップＳ１）。
【００５５】
次に、操作者がタッチパネル１８を操作する。具体的には、操作者は、素手アイコン１０１あるいは手袋アイコン１０２のいずれかを選択し、選択したアイコンを指で触れる。これにより、制御部２０は、この操作により静電容量検出値の変化が閾値よりも大きくなったことを検出する（ステップＳ２）。
【００５６】
制御部２０は、操作者の指が接触したタッチパネル１８の座標を算出し、その座標に基づいて、操作者が選択したアイコンが素手アイコン１０１であるか手袋アイコン１０２であるかの判定を行う（ステップＳ３）
【００５７】
制御部２０は、ステップＳ３において操作者によってタッチパネル設定画面の素手アイコン１０１が選択されたと判定すると（ステップＳ３：「素手」）、その時点におけるタッチパネルの感度が、低く設定されているか高く設定されているかを判定する（ステップＳ４）。
【００５８】
ステップＳ４において、その時点におけるタッチパネルの感度が高く設定されている場合（ステップＳ４：「高い」）、制御部２０は、パネルの感度を低く設定する（ステップＳ５）。
【００５９】
ステップＳ５にてパネルの感度が低く設定された後、または、ステップＳ４においてタッチパネルの感度が低く設定されている場合（ステップＳ４：「低い」）、制御部２０は、タッチパネル設定画面にて素手アイコン１０１が選択されたことを記憶部１１に記憶させる。また、制御部２０は、選択した設定に割り振られたアイコンサイズの表示画面（第１の表示画面としての、アイコンサイズが比較的小さいアイコンを含む表示画面）を読み出し、以降の操作画面として画像表示部１７に表示するように設定し（ステップＳ６）、タッチパネル設定機能の処理を終了する。
【００６０】
制御部２０は、ステップＳ３において、操作者によってタッチパネル設定画面の手袋アイコン１０２が選択されたと判定すると（ステップＳ３：「手袋」）、その時点におけるタッチパネルの感度が、低く設定されているか高く設定されているかを判定する（ステップＳ７）。
【００６１】
ステップＳ７において、その時点においてタッチパネルの感度が低く設定されている場合（ステップＳ７：「低い」）、制御部２０は、パネルの感度を高く設定する（ステップＳ８）。
【００６２】
ステップＳ８にてパネルの感度が高く設定された後、または、ステップＳ７においてタッチパネルの感度が高く設定されている場合（ステップＳ７：「高い」）、制御部２０は、タッチパネル設定画面にて手袋アイコン１０２が選択されたことを記憶部１１に記憶させる。また、制御部２０は、選択した設定に割り振られたアイコンサイズの表示画面（第２の表示画面としての、アイコンサイズが比較的大きいアイコンを含む表示画面）を読み出し、以降の操作画面として画像表示部１７に表示するように設定し（ステップＳ９）、タッチパネル設定機能の処理を終了する。
【００６３】
以上のとおり、制御部２０は、操作者がタッチパネル設定画面で選択した選択アイコン（素手アイコン１０１または手袋アイコン１０２）に対応する操作者の操作状況を記憶部１１に記憶させる。その後、操作者の操作により画像表示部１７に行き先設定などの操作アイコン表示する場合、制御部２０は、記憶装置１１から、操作者の操作状況を読み出し、その状況に対応付けられたアイコンサイズの操作アイコンを含む操作画面を画像表示部１７に表示する。
【００６４】
換言すると、制御部２０は、操作者がタッチパネル設定画面で選択した選択肢（素手アイコン１０１または手袋アイコン１０２）を記憶部に記憶し、その後、制御部２０が操作書の操作により画像表示部１７に行き先設定などのアイコン表示する場合、制御部２０は、記憶装置１１から、操作者がタッチパネル設定画面で選択した選択肢を読み出し、その選択肢に割り振られたアイコンサイズや表示位置を定めた「タッチパネル設定画面を用いた設定機能」以外の車載装置の各機能（他の機能）を操作するために用いられる表示画面を画像表示部１７に表示する。
【００６５】
ここで、図４を用いて、アイコンサイズについて説明する。上述の操作アイコンのアイコンサイズや表示位置などは、記憶部１１のデータテーブル上に記憶されている。
【００６６】
すなわち、本実施の形態においては、タッチパネル設定画面にて素手アイコン１０１が選択された場合と手袋アイコン１０２が選択された場合の２通りのアイコンサイズ（および「他の機能に用いられる表示画面」）が素手アイコン１０１および手袋アイコン１０２のそれぞれに対応して記憶されている。
【００６７】
車載装置１０の画像表示部１７は、横長形状の場合が多いため、本実施の形態では画像表示部１７は横長であるとして説明する。
【００６８】
操作者が接触しやすいアイコンサイズとは、縦横ともにタッチパネル１８に接触する指の接触面に対し、縦横ともに大きなサイズのアイコンのことである。
【００６９】
画像表示部１７が横長の場合、画像表示部１７の横方向（画像表示部１７を正面から見た場合の横方向）の長さは操作者の指がタッチパネルを操作する時に必要な面積の横方向の長さに対して十分に長く、画像表示部１７に表示するアイコンの横の長さも、操作者の指がタッチパネルを操作する時に必要な面積の横方向の長さに対して十分に長い場合が多い。
【００７０】
しかしながら、画像表示部１７の縦方向（画像表示部１７を正面から見た場合の横方向であり高さ方向）の長さは操作者の指がタッチパネルを操作する時に必要な面積の縦方向の長さに対して、アイコンを縦に複数個並べて表示させる場合には十分な長さではなく、アイコン形状も横長になる場合が多い。
【００７１】
一方、静電容量方式タッチパネルの場合、タッチパネル上、円状に静電容量の変化が発生するため操作者の指に対して横方向縦方向ともに十分大きなアイコン形状にすることが望ましい。
【００７２】
また、上述したように、手袋をした指でタッチパネルを操作し、静電容量を大きく変化させるには、手袋をした指とタッチパネルの接触面積を大きくする必要がある。また、操作者が手袋をした指でタッチパネルを操作する場合、素手で操作した場合より静電容量の変化が小さくなり、制御部２０は操作者が手袋をした指でタッチパネルを操作したことを検出するには、検出感度を高くし、小さな静電容量の変化も検出する必要がある。
【００７３】
このため、手袋をした指でタッチパネルを操作するためには、操作者の指（指とタッチパネルの接触面積）に対して、指を中心とした十分大きな円すなわち操作者の指に対して横方向縦方向ともに十分大きいなアイコン形状にする必要がある。
【００７４】
このように、手袋をした指で静電容量方式のタッチパネルを使用する場合に、アイコンの縦の長さとアイコンの横の長さの比が等しいまたは１に近くなるように設定することが望ましいことになる。なお、アイコンの縦の長さとアイコンの横の長さとのうち短いほう（以下、「短辺」という）の長さが、手袋装着の場合の方が素手の場合よりも長くなる。
【００７５】
図４はアイコンサイズを説明するための図である。図４（ａ）は、素手操作時（素手アイコン１０１が選択された後）のアイコンサイズの一例を示すものであり、アイコン例１と称する。アイコン例１の横の長さをＬ１、アイコン例１の縦の長さをＬ２とする。アイコン例１は、車載装置１０の画像表示部１７が横長であることが加味されているため、その横の長さＬ１は縦の長さＬ２よりも長く設定されている。
【００７６】
この様に設定されることによって、図２（ｂ）のように複数のアイコンを並べて表示した際に、隣接する一方のアイコンと他のアイコンとの間の距離を十分確保することができるため、操作者にとって個々のアイコンが視認しやすく選択しやすいレイアウトを実現することができる。
【００７７】
特に、アイコン自体の色と表示画面における他の色（背景色など）とが同系色である場合は、上述のように個々のアイコンを識別しやすいアイコン例１に示されるアイコンサイズが有用である。
【００７８】
すなわち、アイコン例１に示すアイコンのサイズは、操作者が素手でタッチパネル１８を操作するのに適したサイズと言うことができ、アイコン例１に示すアイコンが並べられたレイアウトは、操作者が素手でタッチパネル１８を操作するのに適したレイアウトと言うことができる。
【００７９】
図４（ｂ）は、アイコン例１ンより大きいアイコン例２を示す図であり、アイコン例２の横の長さ（長辺）Ｌ３はアイコン例１の横の長さ（長辺）Ｌ１に等しい。アイコン例２の縦の長さ（短辺）Ｌ４は、アイコン例１の縦の長さ（短辺）Ｌ２よりも長い。数式で表すと、長辺は、Ｌ３＝Ｌ１、短辺は、Ｌ４＞Ｌ２である。
【００８０】
この場合、Ｌ１とＬ２の比より、Ｌ３とＬ４の比のほうが１に近くかつ、アイコン例２の短辺Ｌ４は、アイコン例１の短辺Ｌ２より長い。
【００８１】
図４（ｃ）は、アイコン例１より大きいアイコン例３を示す図であり、アイコン例３の長辺Ｌ５はアイコン例１の長辺Ｌ１より短くなるが、アイコン例３の短辺Ｌ６はアイコン例１の短辺Ｌ２より長い。数式で表すと、長辺は、Ｌ５＜Ｌ１、短辺は、Ｌ６＞Ｌ２、である。
【００８２】
この場合も、Ｌ１とＬ２の比より、Ｌ５とＬ６の比のほうが１に近くかつ、アイコン例３の短辺Ｌ６は、アイコン例１の短辺Ｌ２より長い。
【００８３】
アイコン例２に示されるアイコンは、車載装置１０の画像表示部１７が横長であることが加味されているため、その横の長さＬ３は縦の長さＬ４よりも長く設定されている。同様に、アイコン例３に示されるアイコンもその横の長さＬ５が縦の長さＬ６よりも長く設定されている。
【００８４】
ただし、アイコン例２のＬ３とＬ４との長さの比は、アイコン例１のＬ１とＬ２との長さの比よりも、「１」に近づいている。同様に、アイコン例３のＬ５とＬ６との長さの比も、アイコン例１のＬ１とＬ２との長さの比よりも「１」に近づいている。
【００８５】
この様にアイコンのサイズが設定されることによって、図２（ｃ）に示すように複数のアイコンを並べて表示した際に、操作者からの操作を検出できる面積を十分確保することができ、上述したとおり、手袋をした指でタッチパネルを操作したことを検出するために検出感度を高くして小さな静電容量の変化も検出することに的確に対応することができる。
【００８６】
すなわち、アイコン例２およびアイコン例３に示すアイコンのサイズは、操作者が手袋をしてタッチパネル１８を操作するのに適したサイズと言うことができ、アイコン例２およびアイコン例３に示すアイコンが並べられたレイアウトは、操作者が手袋をしてタッチパネル１８を操作するのに適したレイアウトと言うことができる。
【００８７】
図４（ｄ）は、アイコン例１より大きいアイコン例４を示す図であり、アイコン例１では縦が短辺であったが、アイコン例４では、横が短辺になった例である。
【００８８】
アイコン例４の長辺の長さＬ８はアイコン例１の長辺の長さＬ１より短い。アイコン例４の短辺の長さＬ７はアイコン例１の短辺の長さＬ２より長い。
【００８９】
この場合も、Ｌ１とＬ２の比より、Ｌ８とＬ７の比のほうが１に近くかつ、アイコン例４の短辺Ｌ７は、アイコン例１の短辺Ｌ２より長い。
【００９０】
アイコン例４に示されるアイコンは、上述の車載装置１０を左右いずれか一方に９０度回転させて使用する場合、すなわち、縦長の状態にて用いられることを考慮したものである。すなわち、ここでは車載装置１０が横長の状態でも縦長の状態でも利用できる装置であることを考慮している。
【００９１】
このアイコン例４に示されるアイコンも、アイコン例２およびアイコン例３のものと同様に、操作者からの操作を検出できる面積を十分確保することができ、上述したとおり、手袋をした指でタッチパネルを操作したことを検出するために検出感度を高くして小さな静電容量の変化も検出することに的確に対応することができる。
【００９２】
すなわち、アイコン例４に示すアイコンのサイズは、適用される装置（本実施の形態においては車載装置１０）が縦長の状態で利用される際に、操作者が手袋をしてタッチパネル１８を操作するのに適したサイズと言うことができる。アイコン例４に示すアイコンが並べられたレイアウトは、適用される装置が縦長の状態で利用される際に、操作者が手袋をしてタッチパネル１８を操作するのに適したレイアウトと言うことができる。
【００９３】
なお、図４ではアイコン例１よりも大きなアイコン例を３つ（アイコン例２乃至アイコン例４）示したが、アイコンの縦の長さとアイコンの横の長さの比が等しいまたはアイコン例１よりも１に近いこと、かつ、アイコンの短辺がアイコン例１の短辺Ｌ２よりも大きいことを満たせば、図示した形状以外の縦横比でも良い。表示部の縦横比や一度に表示させたいアイコン数に適した大きなアイコンを規定し、記憶部１１に記憶させておくことができる。
【００９４】
また、本実施の形態においては操作アイコンが長方形である場合について説明した。すなわち、操作アイコンの表示領域は長方形を形成する２つの長辺と２つの短辺とからなるものとして説明した。
【００９５】
ただし、操作アイコンの形状（表示領域）は長方形のように４つの角が無くても良く、楕円形状や長穴形状でも良い。この場合、楕円や長穴のそれぞれに外接する長方形を想定し、上述と同様にアイコンサイズを設定すれば良い。
【００９６】
以上のように、本実施の形態の車載装置は、手袋装着用のアイコンの縦の長さと横の長さとの比が等しいまたは素手用のアイコンよりも１に近いこと、かつ、手袋装着用のアイコンの短辺が素手用のアイコンの短辺より長くなるようなサイズのアイコンが表示されるアイコン表示画面データを格納する。これにより、操作者が素手または手袋装着に合わせてタッチパネル設定にて操作に適したアイコンサイズを用いた表示画面を設定することができる。
【００９７】
この結果、操作者が手袋を装着し、静電容量の変化が素手に比べて小さくなるときでも、縦横ともに十分な大きさのアイコンを画像表示部に表示させ、制御部が操作者の操作を認識するのに十分な静電容量変化を生じさせることができるので、操作者の意図した操作を確実に行うことができる。
【００９８】
なお、本実施の形態において、アイコンサイズは２個の選択肢を設定しているが本発明はこれに限られず、選択肢は３個以上でもよい。この場合、タッチパネル１８の静電容量の変化が小さい操作程、選択アイコン、操作アイコンを大きく表示し、検出感度を高める。これにより、複数の手袋の厚みや素材に対応するアイコンサイズを設定でき、操作者の利便性が高まる。
【００９９】
（実施の形態２）
以下、本発明の実施の形態２におけるタッチパネルを備えた表示装置について、図面を用いて説明する。
【０１００】
ただし、実施の形態１と同様に、以下の説明ではタッチパネルを備えた表示装置として車載用のナビゲーション装置を例示して説明するため、このタッチパネルを用いた表示装置を含む車載用のナビゲーション装置を単に「車載装置」として説明する。
【０１０１】
実施の形態２におけるタッチパネルを備えた表示装置は、実施の形態１と同様の構成、動作処理を行なうため、その詳細な説明は省略する。
【０１０２】
従来のタッチパネルを備えた表示装置においては、タッチパネルに表示するためのアイコンのサイズを、記憶部に記憶された複数のアイコンサイズの中から選択するために、操作者がタッチパネルを操作した際の静電容量分布を検出するための静電容量分布検出部が必要であり、静電容量分布を検出するためには、制御ラインや、検出電極が多数必要なため、構造が複雑になる。
【０１０３】
そこで、本実施の形態では、車載装置１０の各機能操作が行われる前である車載装置１０をはじめて操作する時に素手（アイコン小）と手袋（アイコン大）を選択することによりアイコンサイズを変更可能にしている。また、車載装置１０をはじめて操作する時に選択したアイコンサイズを記憶し、日常の操作では記憶したアイコンサイズを使用する。これにより、操作者が車載装置１０をはじめて使用するときや、操作者が意図したときのみアイコン設定をおこない、それ以降はアイコン設定を行わなくとも操作者に適切なアイコンサイズを表示することができる。したがって、操作者は、わずらわしい操作をすることがなくなる。
【０１０４】
なお、本実施の形態を実施するためには、例えば、図３に示した処理フローのステップＳ１において車載装置１０の動作処理に移行させるためのボタンを設ければ良い。このボタンは、車載装置１０の電源ＯＮ直後の短時間だけ画像表示部１７に専用のアイコンを表示したり、車載装置１０にメカスイッチなどの専用のハードキーを設けたりすることによって、実現することができる。
【０１０５】
この場合、素手を選択していた操作者に加え、あらたに手袋をした指で操作する操作者が利用する場合にも、全ての操作者にとってわずらわしい作業を低減し、容易に操作できるアイコンサイズを、静電容量分布を検出する必要の無い簡単な構成で提供することができる。
【０１０６】
以上のとおり、本実施の形態の車載装置は、はじめて使用するときに操作者の状況に応じた適切なアイコンサイズを記憶装置に記憶させ、その後、操作者が手袋したときや、操作者が代わったときなど、操作者が意図したときにのみ、使用状況に応じたアイコンサイズを設定することができる。これにより、以後の使用の時にはアイコンサイズ設定を都度行うことなく、操作しやすいアイコンを表示し、操作者の意図した操作を容易に行うことができる。また、操作性を損なうことがない機器を簡単な構成で実現することができる。
【０１０７】
このため、実施の形態２の車載装置は、自装置を操作するための操作アイコンを表示する画像表示部と、画像表示部の前面に備えられ、静電容量の変化を検出する静電容量式のタッチパネルと、画像表示部に第１の選択アイコンおよび第２の選択アイコンを表示させる制御部と、第１の選択アイコンおよび第２の選択アイコンのいずれが選択されたことを記憶する記憶装置とを備え、制御部は、第１の選択アイコンおよび第２の選択アイコンのいずれが選択されたかを記憶部より呼び出し、選択された選択アイコンに関連付けられた操作アイコンを画像表示部に表示する構成を有している。
【０１０８】
これにより、操作者により選択された選択アイコン、及び、選択アイコンに関連付けられた操作アイコンの大きさを記憶し、操作者が選択した選択アイコンに関連付けられた大きさの操作アイコンを画像表示部に表示することができる。これにより、操作者は、素手あるいは手袋装着のいずれの場合であっても、操作者の意図したアイコンを確実に選択することができる。そして、本実施の形態によれば、操作性を損なうことがない機器を簡単な構成で実現することができる。また、操作者の意図する時にのみ選択アイコンを選択することにより、それ以降に使用するときには、アイコンサイズ設定を行うことなく、操作者の使用状況に適したアイコンサイズを表示させることができるので、わずらわしい操作が不要となる。
【０１０９】
（実施の形態３）
以下、本発明の実施の形態３におけるタッチパネルを備えた表示装置について、図面を用いて説明する。
【０１１０】
ただし、実施の形態１と同様に、以下の説明ではタッチパネルを備えた表示装置として車載用のナビゲーション装置を例示して説明する為、このタッチパネルを用いた表示装置を含む車載用のナビゲーション装置を単に「車載装置」として説明する。
【０１１１】
本実施の形態において、実施の形態１と同様の構成については同一符号を付し、その詳細な説明は省略する。
【０１１２】
実施の形態３は実施の形態１とは異なるアイコンサイズ変更操作以外の機能操作による画像表示部１７のアイコン表示例（ナビゲーション機能実行時における「施設検索」画面の表示例）を示している。
【０１１３】
図５は本実施の形態における車載装置の動作説明のための図である。図５（ａ）は、図２（ａ）と共通する。
【０１１４】
図５（ｂ）および図５（ｃ）は、車載装置１０の様々な操作（アイコンサイズ変更操作の他の機能操作）による画像表示例としてのナビゲーション機能実行時における「施設検索」画面の一例を示す図である。「施設検索」画面では、１２個のアイコンを表示するように設定されている。
【０１１５】
図５（ｂ）は「タッチパネル設定画面」にて素手アイコン１０１を選択した後の「施設検索」画面の一例を示す図である。この画面には、１２個のアイコン１１２が表示されている。
【０１１６】
図５（ｃ）は「タッチパネル設定画面」にて手袋アイコン１０２を選択した後の「施設検索」画面の一例を示す図である。この画面には、１２個のアイコン１１３が表示されている。
【０１１７】
図５（ｂ）および図５（ｃ）に示されるとおり、手袋アイコン１０２が選択された後に表示されるアイコン１１３のサイズの方が、素手アイコン１０１が選択された後に表示されるアイコン１１２のサイズよりも大きく表示される。
【０１１８】
以下、本実施の形態における車載装置１０の画像表示部１７に表示されるアイコンのサイズおよびアイコンのレイアウトについて、実施の形態１にて説明した図４とともにその詳細を説明する。
【０１１９】
図５（ｂ）に示されるアイコン１１２と、図５（ｃ）に示されるアイコン１１３を比較すると、図５（ｂ）に示される個々のアイコンと図５（ｃ）に示される個々のアイコンとのアイコンのサイズの関係は、図４（ａ）に示されたアイコン例１と図４（ｃ）に示されたアイコン例３との関係と同様である。
【０１２０】
すなわち、「タッチパネル設定」にて素手アイコン１０１を選択した後のアイコン（図５（ｂ）に示すアイコン）の長辺と短辺との比よりも、「タッチパネル設定」にて素手アイコン１０１を選択した後のアイコン（図５（ｃ）に示すアイコン）の長辺と短辺との比が１に近付き、かつ、アイコンの短辺は「タッチパネル設定」にて素手アイコン１０１を選択した後のアイコンの短辺より長い。
【０１２１】
また、素手アイコン１０１が選択された後の操作アイコンは、表示画面にｍ１行ｎ１列にて配置されているが、これと同じ機能操作のための表示画面であって手袋アイコン１０２が選択された後の操作アイコンは表示画面にｍ２行ｎ２列にて配置されて、それぞれ画像表示部１７に表示されることになる（ｍ、ｎは自然数）。
【０１２２】
すなわち、図５（ｂ）に示す例ではアイコン１１２が４行３列に表示されているが、車載装置１０の画像表示部１７が横長であるため、図５（ｃ）に示す例では、素手アイコン選択後に表示させるアイコン１１２より長辺は短くなるが、短辺が長くなるように設計された、アイコン１１２より大きなアイコン１１３を３行４列に配置した施設検索画面を表示する。
【０１２３】
これにより、手袋操作に適した大きなアイコンが用いられる場合でも、「タッチパネル設定」にて素手アイコン１０１を選択した後に表示されるアイコンと同様に、一度に表示できるアイコン数を１２個確保することができる。
【０１２４】
以上の様に本実施の形態の車載装置は、手袋装着用のアイコンの縦の長さと横の長さとの比が等しいまたは素手用のアイコンよりも１に近いこと、かつ、手袋装着用のアイコンの短辺が素手用のアイコンの短辺より長くなるようなサイズのアイコンが表示され、しかも一度に表示されるアイコン数を保つように設計されたアイコン表示画面データを格納する。これにより、操作者が素手または手袋装着に合わせてタッチパネル設定にて操作に適したアイコンサイズを用いて一度に表示されるアイコン数を保つように設計された表示画面を設定できる。
【０１２５】
この結果、操作者が手袋を装着し、静電容量の変化が既に比べて小さくなるときでも、縦横ともに十分な大きさのアイコンを用いて一度に表示されるアイコン数を保つように設計された表示画面を画像表示部に表示させ、制御部が操作者の操作を認識するのに十分な静電容量変化を生じさせることができるので、操作者の意図した操作を確実に行うことができる。
【０１２６】
さらに、大きなアイコンを用いて一度に表示できるアイコン数を保っているため、画面表示の意匠性を大きく損なうことなく、画面に表示できる情報量を確保しつつ手袋を装着した操作者も確実に操作することができる。
【０１２７】
なお、アイコン表示の行数と列数は４行３列以外でもよい。この場合、一度に表示するアイコン数に応じて最適なアイコンサイズとアイコンレイアウトを設定できる。
【０１２８】
例えば、一画面に表示させるアイコン数が６個の場合、３行２列でもよく、一画面に表示させるアイコン数が２０個の場合、５行４列でもよい。
【０１２９】
なお、大きいアイコンサイズを選択した時に画像表示部１７に表示されるアイコンのレイアウトは任意でよく、この場合、使用頻度の高いアイコンの場所の移動を少なくし、操作者の負担を減らすこともできる。
【０１３０】
または、最も使用頻度の高いアイコンを常に右下などに表示させてもよく、この場合も操作者は使用頻度の高いアイコンが表示される場所があらかじめ分かっているため、操作者の負担を減らすことができる。
【０１３１】
なお、画像表示部１７が縦長の場合も、横長の場合と同様にして説明できるため、画像表示部が縦長でも良い。この場合、モバイル機器など縦長の表示部を有する機器にも適応できる。
【０１３２】
２０１０年４月１３日出願の特願２０１０−０９１８８８及び２０１０年５月２１日出願の特願２０１０−１１６８７１の日本出願に含まれる明細書、図面および要約書の開示内容は、すべて本願に援用される。
【産業上の利用可能性】
【０１３３】
本発明のタッチパネルを使用した表示装置は、手袋をした手で操作をする場合に適したアイコン表示画面を表示することができ、タッチパネルを使用した表示装置に有用であり、ナビゲーション装置や車載ディスプレイなどの車載装置やモバイル機器などに適用することができる。
【符号の説明】
【０１３４】
１０  車載装置
１１  記憶部
１２  外部入力部
１３  スピーカ
１７  画像表示部
１８  タッチパネル
２０  制御部
２２  ＤＶＤ／ＣＤドライブ
２３  ＧＰＳ受信機
２４  車速センサ
２５  ジャイロ
１０１  素手（アイコン小）アイコン
１０２  手袋（アイコン大）アイコン
１１０  素手操作時のアイコン表示例
１１１  手袋操作時のアイコン表示例
１１２  素手操作時のアイコン表示例
１１３  手袋操作時のアイコン表示例
【図１】
2011129109.tif 000003
【図２】
2011129109.tif 000004
【図３】
2011129109.tif 000005
【図４】
2011129109.tif 000006
【図５】
2011129109.tif 000007
【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
データを表示する画像表示部と、
前記画像表示部の表面に設けられるタッチパネルと、
前記画像表示部に表示させる画像を記憶する記憶部と、
前記タッチパネルの操作者に触られた領域を検出し、検出結果に基づいて前記記憶部から画像を読み出して前記画像表示部に表示させる制御部と、を備え、
前記記憶部は、
前記操作者の操作状況を示す選択アイコンと、操作の選択肢を示す操作アイコンと、を対応付けて記憶し、
前記操作アイコンの大きさは、選択アイコン毎に異なり、
前記制御部は、
複数の前記選択アイコンを前記画像表示部に表示させ、
前記操作者によって選択された選択アイコンに対応付けられた大きさの操作アイコンを前記画像表示部に表示させる、
表示装置。
【請求項２】
前記記憶部は、直近に選択された前記選択アイコンを記憶し、
前記制御部は、前記操作者から前記選択アイコンを前記画像表示部に表示させる指示を受けるまでは、前記記憶部に記憶された選択アイコンに対応付けられた大きさの操作アイコンを前記画像表示部に表示させる、請求項１記載の表示装置。
【請求項３】
前記制御部は、前記各操作アイコンの大きさを互いに異ならせて前記画像表示部に表示させ、大きい操作アイコンほど前記タッチパネルの検出感度を高く設定する、請求項１記載の表示装置。
【請求項４】
前記記憶部は、前記各選択アイコンに対応付けられ前記操作アイコンが含まれる複数の表示画面を記憶し、
前記各表示画面における前記操作アイコンの表示領域は互いに異なるように設定され、
前記制御部は、選択された選択アイコンに対応付けられた表示画面を前記画像表示部に表示する、請求項１記載の表示装置。
【請求項５】
前記制御部は、所定の操作を検出した場合に前記選択アイコンを前記画像表示部に表示する、請求項２記載の表示装置。
【請求項６】
前記画像表示部に前記選択アイコンを表示するためのボタンを備える、請求項２記載の表示装置。
【請求項７】
前記操作アイコンの表示領域は長方形であり、
前記制御部は、
前記各選択アイコンの大きさを互いに異ならせて前記画像表示部に表示させ、
大きい選択アイコンに対応付けられた前記操作アイコンの長辺と短辺との比は、小さい選択アイコンに対応付けられた前記操作アイコンの長辺と短辺との比よりも１に近い、請求項１記載の表示装置。
【請求項８】
前記操作アイコンが含まれる各表示画面には複数かつ互いに同数の操作アイコンが含まれ、前記各表示画面において操作アイコンはｍ行ｎ列に配置され（ｍ、ｎは自然数）、前記ｍと前記ｎとの積が前記全ての表示画面において等しい、請求項１記載の表示装置。
【国際調査報告】
2011129109.tif 000008
2011129109.tif 000009